【事件の表示】
　平成１１年特許願第１２０７０２号「カラーフィルタ用感放射線性組成物およびカラーフィルタ」拒絶査定不服審判事件〔平成１２年１１月　７日出願公開、特開２０００−３１０７０７号〕について、次のとおり審決する。
【結　論】
　本件審判の請求は、成り立たない。
【理　由】
１．手続の経緯及び本願発明 
　本件出願（以下「本願」という。）は、平成１１年４月２７日の出願であって、平成２１年１月１６日付けで手続補正がなされ、平成２１年３月２４日付けで拒絶査定がなされ、これに対して、平成２１年６月２６日に拒絶査定不服審判の請求がなされるとともに、同日付けで手続補正がなされた後、平成２３年４月１４日付けで、当審において平成２１年６月２６日付けの手続補正についての補正の却下の決定がなされるとともに、同日付けで拒絶理由通知がなされ、これに対して、平成２３年６月１７日付けで手続補正がなされたものである。 
　本願の特許請求の範囲の請求項１に係る発明（以下「本願発明」という。）は、平成２３年６月１７日付けの手続補正により補正された明細書の特許請求の範囲の請求項１に記載された次のとおりのものである。
　
「（Ａ）着色剤、（Ｂ）アルカリ可溶性樹脂、（Ｃ）多官能性単量体、（Ｄ）トリアジン系化合物を含む光重合開始剤、および（Ｅ）分子中に１個以上のアミノ基を有する有機アミノ化合物を含有するカラーフィルタ用感放射線性組成物であって、前記（Ｅ）有機アミノ化合物がモノ（シクロ）アルキルアミン類、ジ（シクロ）アルキルアミン類、トリ（シクロ）アルキルアミン類、モノ（シクロ）アルカノールアミン類、アミノ（シクロ）アルカンジオール類、アミノ基含有シクロアルカンメタノール類、アミノカルボン酸類、芳香族アミン類およびアミノフェノール類の群から選ばれ、かつ該モノ（シクロ）アルキルアミン類がｎ−プロピルアミン、ｉ−プロピルアミン、ｉ−ブチルアミン、ｓｅｃ−ブチルアミン、ｔ−ブチルアミン、ｎ−ペンチルアミン、ｎ−ヘキシルアミン、ｎ−へプチルアミン、ｎ−オクチルアミン、ｎ−ノニルアミン、ｎ−デシルアミン、ｎ−ウンデシルアミン、ｎ−ドデシルアミン、シクロヘキシルアミン、ｏ−メチルシクロヘキシルアミン、ｍ−メチルシクロヘキシルアミン、ｐ−メチルシクロヘキシルアミン、ｏ−エチルシクロヘキシルアミン、ｍ−エチルシクロヘキシルアミンおよびｐ−エチルシクロヘキシルアミンの群から選ばれ、該ジ（シクロ）アルキルアミン類がメチルエチルアミン、メチルｎ−プロピルアミン、エチルｎ−プロピルアミン、ジ−ｎ−プロピルアミン、ジ−ｉ−プロピルアミン、ジ−ｎ−ブチルアミン、ジ−ｉ−ブチルアミン、ジ−ｓｅｃ−ブチルアミン、ジ−ｔ−ブチルアミン、ジ−ｎ−ペンチルアミン、ジ−ｎ−ヘキシルアミン、メチルシクロヘキシルアミン、エチルシクロヘキシルアミンおよびジシクロヘキシルアミンの群から選ばれ、該トリ（シクロ）アルキルアミン類がジメチルエチルアミン、メチルジエチルアミン、ジメチルｎ−プロピルアミン、ジエチルｎ−プロピルアミン、メチルジ−ｎ−プロピルアミン、エチルジ−ｎ−プロピルアミン、トリ−ｎ−プロピルアミン、トリ−ｉ−プロピルアミン、トリ−ｎ−ブチルアミン、トリ−ｉ−ブチルアミン、トリ−ｓｅｃ−ブチルアミン、トリ−ｔ−ブチルアミン、トリ−ｎ−ペンチルアミン、トリ−ｎ−ヘキシルアミン、ジエチルシクロヘキシルアミン、メチルジシクロヘキシルアミン、エチルジシクロヘキシルアミンおよびトリシクロヘキシルアミンの群から選ばれ、該モノ（シクロ）アルカノールアミン類が３−アミノ−１−プロパノール、１−アミノ−２−プロパノール、４−アミノ−１−ブタノール、５−アミノ−１−ペンタノール、６−アミノ−１−ヘキサノールおよび４−アミノ−１−シクロヘキサノールの群から選ばれ、該アミノ（シクロ）アルカンジオール類が３−アミノ−１，２−プロパンジオール、２−アミノ−１，３−プロパンジオール、４−アミノ−１，２−ブタンジオール、４−アミノ−１，３−ブタンジオール、４−アミノ−１，２−シクロヘキサンジオール、４−アミノ−１，３−シクロヘキサンジオール、３−ジメチルアミノ−１，２−プロパンジオール、３−ジエチルアミノ−１，２−プロパンジオール、２−ジメチルアミノ−１，３−プロパンジオールおよび２−ジエチルアミノ−１，３−プロパンジオールの群から選ばれ、該アミノ基含有シクロアルカンメタノール類が１−アミノシクロペンタンメタノール、４−アミノシクロペンタンメタノール、１−アミノシクロヘキサンメタノール、４−アミノシクロヘキサンメタノール、４−ジメチルアミノシクロペンタンメタノール、４−ジエチルアミノシクロペンタンメタノール、４−ジメチルアミノシクロヘキサンメタノールおよび４−ジエチルアミノシクロヘキサンメタノールの群から選ばれ、該アミノカルボン酸類がβ−アラニン、２−アミノ酪酸、３−アミノ酪酸、４−アミノ酪酸、２−アミノイソ酪酸、３−アミノイソ酪酸、２−アミノ吉草酸、５−アミノ吉草酸、６−アミノカプロン酸、１−アミノシクロプロパンカルボン酸、１−アミノシクロヘキサンカルボン酸および４−アミノシクロヘキサンカルボン酸の群から選ばれ、該芳香族アミン類がアニリン、ｏ−メチルアニリン、ｍ−メチルアニリン、ｐ−メチルアニリン、ｐ―エチルアニリン、ｐ−ｎ−プロピルアニリン、ｐ−ｉ−プロピルアニリン、ｐ−ｎ−ブチルアニリン、ｐ−ｔ−ブチルアニリン、１−ナフチルアミン、２−ナフチルアミン、Ｎ，Ｎ−ジエチルアニリンおよびｐ−メチル−Ｎ，Ｎ−ジメチルアニリンの群から選ばれ、該アミノフェノール類がｏ−アミノフェノール、ｍ―アミノフェノール、ｐ―アミノフェノール、ｐ−ジメチルアミノフェノールおよびｐ−ジエチルアミノフェノールの群から選ばれることを特徴とするカラーフィルタ用感放射線性組成物。」
　
２．引用例
　これに対して、当審で通知した平成２３年４月１４日付けの拒絶理由で引用した特開平１１−１５１４７号公報（以下「引用例」という。）には、以下の技術事項が記載されている。（後述する引用発明の認定に関連する箇所に下線を付した。）
　
記載事項ア．
「【請求項１】
（Ａ）骨格にマレイミド基を有する重合体、（Ｂ）光開始剤、（Ｃ）少なくとも一個のエチレン性不飽和結合を有する化合物、（Ｄ）着色剤を含有する着色画像形成材料。
　
記載事項イ．
「【０００１】
【発明の属する技術分野】
本発明は、着色画像形成材料、及びそれを含む感光液、これを用いた感光エレメント及びカラーフィルタを利用して、
　
記載事項ウ．
「【００１２】
本発明における（Ｂ）成分である光開始剤としては、
２，４−トリクロロメチル（４’−トリキシスチル）−６ートリアジン、
　　　　　　
記載事項エ．
「【００１３】また、
感度向上のためのアミン増感剤としてアミン類を添加することにより、硬化速度が高められ、かつ酸素等の重合阻害作用が小さくなるので有効である。このようなアミン類としては、ブチルアミン、
が挙げられる。
　
記載事項オ．
「【００１４】
本発明において、（Ｃ）成分である少なくとも１個の反応性二重結合を有する化合物としては、例えば、
多官能モノマーが挙げられる。
　
記載事項カ．
「【００３９】
【発明の効果】本発明の着色画像形成材料は、高感度、高解像力のあるアルカリ現像可溶性であり、かつ耐熱性が向上し、２００℃以上３００℃以下の温度で保存しても、カラーフィルタの色度や膜厚の変動が少ない。」
　
　記載事項ア．〜カ．の記載内容からして、引用例には、
「骨格にマレイミド基を有する重合体、光開始剤、多官能モノマー、着色剤を含有し、光開始剤としては２，４−トリクロロメチル（４’−トリキシスチル）−６−トリアジンを用い、更に、感度向上のためのアミン増感剤としてブチルアミンを用いるカラーフィルタ用着色画像形成材料。」
の発明（以下「引用発明」という。）が記載されているといえる。
　
３．対比
　本願発明と引用発明とを対比する。
（ａ）引用発明の「着色剤」、「多官能モノマー」は、それぞれ本願発明の「（Ａ）着色剤」、「（Ｃ）多官能性単量体」に相当する。
　引用発明の「骨格にマレイミド基を有する重合体」は、記載事項カ．の記載内容を参酌すると、本願発明の「（Ｂ）アルカリ可溶性樹脂」に相当することは明らかである。 
　 
（ｂ）引用発明の「光開始剤」としての「２，４−トリクロロメチル（４’−トリキシスチル）−６−トリアジン」は、本願発明の「（Ｄ）トリアジン系化合物を含む光重合開始剤」に相当することは明らかである。 
　また、引用発明の「ブチルアミン」において、「ブチルアミン」は、「ｎ−ブチルアミン」に限らず、「ｉ−ブチルアミン、ｓｅｃ−ブチルアミン、ｔ−ブチルアミン」を包含することは技術常識であるから、引用発明の「ブチルアミン」は、本願発明の「（Ｅ）分子中に１個以上のアミノ基を有する有機アミノ化合物」が「モノ（シクロ）アルキルアミン類」であって、「該モノ（シクロ）アルキルアミン類」が「ｉ−ブチルアミン、ｓｅｃ−ブチルアミン、ｔ−ブチルアミン」である場合に相当する。
　
（ｃ）引用発明の「カラーフィルタ用着色画像形成材料」は、感放射線性の組成物であることは明らかであるから、本願発明の「カラーフィルタ用感放射線性組成物」に相当するといえる。 
　
　（ａ）〜（ｃ）に記載したことからして、引用発明は、本願発明の「（Ａ）着色剤、（Ｂ）アルカリ可溶性樹脂、（Ｃ）多官能性単量体、（Ｄ）トリアジン系化合物を含む光重合開始剤、および（Ｅ）分子中に１個以上のアミノ基を有する有機アミノ化合物を含有するカラーフィルタ用感放射線性組成物であって、前記（Ｅ）有機アミノ化合物がモノ（シクロ）アルキルアミン類から選ばれ、かつ該モノ（シクロ）アルキルアミン類がｉ−ブチルアミン、ｓｅｃ−ブチルアミン、ｔ−ブチルアミンから選ばれるカラーフィルタ用感放射線性組成物。」である場合を包含するものであるから、引用発明と本願発明とでは構成上の差異がない。
　
　したがって、本願発明は、引用発明である。
　
４．むすび
　以上のとおり、本願発明は、引用発明であるから、特許法第２９条第１項第３号に規定する発明に該当し、特許を受けることができない。
　よって、結論のとおり審決する。